(57)【要約】  少なくとも２つの感光面ＬＳＳ１、ＬＳＳ２を有する、Ｘ線イメージング用のデュアルレイヤ検出器ＸＤが提示される。デュアルレイヤ検出器は、Ｘ線を光に変換することができる少なくとも１つのシンチレータ素子ＳＥを含む第１のシンチレータ層ＳＬ、ＳＬ１を更に有し、このシンチレータ素子は、Ｘ線をシンチレータ素子ＳＥに受け入れる入口面Ｓ１と、入口面Ｓ１から遠位にある出口面Ｓ２との２つの面を有し、この２つの面Ｓ１、Ｓ２は、シンチレータ素子ＳＥの長手軸ＬＡＸがシンチレータ層の法線ｎに対して傾斜しているように互いに対しシフトされて配置される。シンチレータ素子ＳＥは、２つの面Ｓ１、Ｓ２の間に延在する側壁ｗ、ｗ１を有し、シンチレータ層ＳＬは、側壁ｗ'、ｗ１'を有する第２のそのようなシンチレータ素子ＳＥ'を更に有し、第２のシンチレータ素子ＳＥ'は、第１のシンチレータ素子ＳＥに隣接し、第１のシンチレータ素子ＳＥの側壁ｗ、ｗ１及び第２のシンチレータ素子ＳＥ'の側壁ｗ'、ｗ１）は互いに隣接し、傾斜している。デュアルレイヤ検出器ＸＤは更に、第２のそのようなシンチレータ層ＳＬ２を有する。感光面ＬＳＳ１、ＬＳＳ２の一方は、２つのシンチレータ層（ＳＬ１、ＳＬ２）の間に配置される。
2021521444.tif 000002
【特許請求の範囲】
【請求項１】
Ｘ線イメージング用のデュアルレイヤ検出器であって、少なくとも２つの感光面と、Ｘ線を光に変換することができる少なくとも１つのシンチレータ素子を有する第１のシンチレータ層であって、Ｘ線を前記シンチレータ素子に受け入れる入射面と、前記入射面から遠位にある出射面との２つの面を有し、前記２つの面は互いにシフトされて配置され、それにより、前記シンチレータ素子の長手軸は、前記第１のシンチレータ層の法線に対し傾斜しており、前記シンチレータ素子は、前記２つの面の間に延在する側壁を有し、前記第１のシンチレータ層が更に、前記側壁を有する第２のシンチレータ素子を有し、前記第２のシンチレータ素子は、第１のシンチレータ素子に隣接し、前記第１のシンチレータ素子の前記側壁及び前記第２のシンチレータ素子の前記側壁は隣接しており、互いに対し傾斜している、第１のシンチレータ層と、第２のそのようなシンチレータ層と、を有し、前記感光面の少なくとも１つが２つのシンチレータ層の間に配置されている、デュアルレイヤ検出器。
【請求項２】
前記少なくとも１つのシンチレータ素子のそれぞれが、斜めプリズム形状、又は斜め円錐形又はピラミッド形を有する、請求項１に記載のデュアルレイヤ検出器。
【請求項３】
前記少なくとも１つのシンチレータ素子のそれぞれの断面が多角形である、請求項１又は２に記載のデュアルレイヤ検出器。
【請求項４】
前記少なくとも１つのシンチレータ素子のそれぞれの断面が、その長手軸に沿って一定である、請求項１乃至３のいずれか１項に記載のデュアルレイヤ検出器。
【請求項５】
前記２つの面が、少なくとも２つの異なる方向に沿ってシフトされて配置されている、請求項１乃至４のいずれか１項に記載のデュアルレイヤ検出器。
【請求項６】
前記それぞれの少なくとも１つのシンチレータ素子は、付加造形によって成形されている、請求項１乃至６のいずれか１項に記載のデュアルレイヤ検出器。
【請求項７】
各シンチレータ素子を少なくとも部分的に囲む光反射物質を更に有する、請求項１乃至６のいずれか１項に記載のデュアルレイヤ検出器。
【請求項８】
個々の前記シンチレータ素子のそれぞれの長手軸は、前記２つの面のそれぞれを通過し、前記シンチレータ層の外側に位置する仮想空間点に焦点を合わせるようにアラインされる、請求項１乃至７のいずれか１項に記載のデュアルレイヤ検出器。
【請求項９】
前記２つの感光面の少なくとも一方が、それぞれ等距離ピクセルレイアウトを有する、請求項１乃至８のいずれか１項に記載のデュアルレイヤ検出器。
【請求項１０】
前記２つの感光面が、前記２つのシンチレータ層の間に配置されている、請求項１乃至９のいずれか１項に記載のデュアルレイヤ検出器。
【請求項１１】
Ｘ線検出器と、焦点を有するＸ線源とを有するＸ線イメージング装置であって、前記Ｘ線検出器は、請求項１乃至１０のいずれか１項に記載の少なくとも１つのシンチレータ層を有し、前記少なくとも１つのシンチレータ素子が、前記焦点に関してアラインされたその長手軸を有する、Ｘ線イメージング装置。
【請求項１２】
少なくとも１つの処理ユニットによって実行されるとき、材料形成装置に、請求項１乃至１０のいずれか１項に記載のデュアルレイヤ検出器の２つのシンチレータ層の少なくとも一方の少なくとも一部を形成させるように適応されたコンピュータプログラム。
【請求項１３】
前記コンピュータプログラムは、３ＤプリンティングのためのＣＡＤファイルの少なくとも一部である、請求項１２に記載のコンピュータプログラム。
【請求項１４】
請求項１２又は１３に記載のコンピュータプログラムを記憶したコンピュータ可読記憶媒体。
【発明の詳細な説明】
【技術分野】
【０００１】
本発明は、シンチレータ層、Ｘ線検出器、Ｘ線イメージング装置、コンピュータプログラム素子、及びコンピュータ可読媒体に関する。
【背景技術】
【０００２】
Ｘ線イメージングシステムの中には、間接変換型の検出器を使用するものがある。間接変換型検出器は、シンチレータとセンサとを幅広く備える。シンチレータは入射するＸ線を光に変換する。その後、光はセンサによって検出される。適切なセンサは、フォトダイオードを有する。フォトダイオードは光を電気信号に変換する。次いで、電気信号は、画像値に変換されることができる。画像値は、患者の関心のある解剖学的構造のＸ線画像を得るために使用されることができる。
【発明の概要】
【発明が解決しようとする課題】
【０００３】
国際公開第２０１０／０１８４９６号公報は、間接変換型検出器技術を備えたＸ線イメージングシステムを記載している。シンチレータは、成長した結晶ニードル、例えばＣｓＩ（ヨウ化セシウム）から形成される。この技術は平坦な表面を達成するために、結晶シンチレータの上部に配置された平坦化層のような付加的なコンポーネントを使用する。
【０００４】
また、検出器の部分についてのイメージング特性は、検出器表面全体にわたって均一ではない場合がある。
【０００５】
更に、成長した結晶ニードルから形成されたシンチレータは、デュアルレイヤ検出器に使用するのに容易に役立たないことがある。
【０００６】
Ｘ線イメージングのための、特にデュアルレイヤ検出器を用いたＸ線イメージングのための代替のシンチレータソリューションが必要とされ得る。
【課題を解決するための手段】
【０００７】
本発明の目的は、独立請求項の主題によって解決され、他の実施形態は、従属請求項に組み込まれる。以下に説明する本発明の態様は、Ｘ線検出器、Ｘ線イメージング装置、コンピュータプログラム素子、及びコンピュータ可読媒体にも同様に適用されることに留意されたい。
【０００８】
本発明の第１の態様によれば、Ｘ線イメージングのためのデュアルレイヤ検出器であって、少なくとも２つの感光面と、Ｘ線を光に変換することができる少なくとも１つのシンチレータ素子を有する第１のシンチレータ層であって、前記シンチレータ素子は、Ｘ線を前記シンチレータ素子に受け入れる入口面と、入口面から遠位にある出口面と、の２つの面を有し、前記２つの面が互いに対しシフトされて配置され、それにより、シンチレータ素子の長手軸は第１のシンチレータ層の法線に対し傾斜しており、第１のシンチレータ素子は、前記２つの面の間に延在する側壁を有し、シンチレータ層の一方又は両方は、２つの面を有する第２のそのようなシンチレータ素子と、第２のシンチレータ素子の２つの面の間に延在し、第１のシンチレータ素子の側壁に対向し又は隣接する側壁と、を更に有し、第１のシンチレータ素子の側壁と第２のシンチレータ素子の側壁とは、互いに対し傾斜している、第１のシンチレータ層と、第２のそのようなシンチレータ層と、を有し、前記２つの感光面のうちの少なくとも一方が、前記２つのシンチレータ層の間に配置されている、デュアルレイヤ検出器が提供される。
【０００９】
デュアルレイヤタイプのＸ線検出器は、スペクトル／デュアルエネルギーイメージングのために使用されることができる。
【００１０】
それぞれの長手軸は特に、シンチレータ素子の面間の部分（「本体」）を通るＸ線／光の伝播方向を規定する。
【００１１】
位置合わせは、それ自体が斜めの形状によって行われる。シンチレータ素子を回転配置する必要はない。
【００１２】
全ての素子の面は、シンチレータ層の近位表面及び遠位表面を規定する。所与の素子の面同士は平行である。固有の斜め性（obliqueness）により、面は、シンチレータ層の平坦な近位表面及び／又は遠位表面を形成する。平坦化層のような追加のコンポーネントは、表面の同一高さを達成するために必要とされない。
【００１３】
加えて、焦点−スポットアラインメントを有する提案する３Ｄピクセル化シンチレータ構造は、本質的に検出器、特に間接変換型検出器、の画像表面全体にわたって一様なＸ線検出を達成することを可能にする。均一なＸ線検出は、最適な（又は少なくとも改善された）イメージング特性をもたらす。具体的には、イメージング特性はより均一である。例えば、ＩＱ（画質）、ＭＴＦ（変調伝達関数）、スペクトル応答、ＤＱＥ（検出量子効率）などの一部又は全部が、検出器のイメージング領域にわたってより均一になり、より具体的には、イメージング領域／表面のエッジに向かってより均一になる。
【００１４】
いくつかの実施形態において、少なくとも１つの素子は、斜めプリズム形状又は斜め円錐形状又はピラミッド形状を有する。
【００１５】
いくつかの実施形態において、前記少なくとも１つの素子の断面は、多角形である。
【００１６】
いくつかの実施形態において、少なくとも１つのシンチレータ素子の断面は、その長手軸に沿って一定である。
【００１７】
いくつかの実施形態において、２つの面が少なくとも２つの異なる方向（ｘ、ｚ）に沿ってシフトして配置される。言い換えると、傾斜(inclination)は、２つの異なる平面における少なくとも２つの傾斜成分を含む。この「２Ｄアライメント」は、平面検出器構成に特に有用であり、検出器の像面の光軸／中心点と交差しないシンチレータ素子の行（又は列）についてアライメントが改善されることができる。
【００１８】
いくつかの実施形態において、少なくとも１つの素子は、付加造形（additive manufacturing）によって、特に３Ｄプリンティングによって形成される。これは、提案するシンチレータ層の効率的な製造を可能にする。
【００１９】
いくつかの実施形態において、製造方法は、シンチレータ層がサブレイヤから構築される該サブレイヤを提供するステップを有する。
【００２０】
更なる工程において、シンチレータ素子を有するシンチレータ層が、その後、付加造形によって形成される。
【００２１】
更なるステップにおいて、シンチレータ素子間の空間を充填するために光反射材料が適用される。
【００２２】
いくつかの実施形態において、光反射性物質が、（複数の）素子を少なくとも部分的に取り囲む。光反射性物質は、Ｘ線に曝露された際、シンチレータ素子によって生成される光のより効率的な使用を可能にする。
【００２３】
いくつかの実施形態において、シンチレータ層の一方又は両方がそれぞれ、複数のそのような素子を有し、素子のそれぞれの長手軸はそれらのそれぞれの面を通過し、長手軸は、層の外側に位置する仮想の空間点に焦点を合わせるように位置合わせされる。Ｘ線イメージング装置において使用される場合、仮想空間点は、イメージング装置のＸ線源の焦点スポットに一致する。シンチレータ素子の斜め性（又は傾斜）は、光軸から更に離れた検出器部分についても改善されたイメージング特性を提供するように、シンチレータ表面にわたって（一次元又は両方の次元で）変化する。しかしながら、全ての素子が斜めである必要はない。特に、光軸の場所におけるシンチレータ素子又は光軸に近いシンチレータ素子は傾斜がない（垂直な長手軸をもつ）。
【００２４】
本明細書で想定される実施形態において、Ｘ線検出器は、少なくとも２つのセンサ層を有し、各センサ層は、２つの感光面のそれぞれ１つを有する。言い換えると、２つのセンサ層の各々は、それ自体の感光面を有する。いくつかの実施形態において、２つのセンサ層は、感光面が反対方向に向くように積層される。
【００２５】
各感光面、すなわちセンサ層は、好適には光学的結合を介して、それに関連するそれぞれのシンチレータ層を有する。
【００２６】
提案するシンチレータ層は、シンチレータ素子の斜め性のおかげで、シンチレータ層の近位表面及び／又は遠位表面が本質的に同一平面であるために、そのようなデュアルレイヤ検出器の構築を容易にする。これは、近位表面／遠位表面の同一平面性が、スペクトル／デュアルイメージング検出器を構築する際に、層を互いに積み重ねる際の固有の構造的安定性を助長するためである。いくつかの実施形態において、その両側から感光性である単一のセンサ層を使用することができ、従って、遠位及び近位の２つの感光性表面を提供する。
【００２７】
２つのシンチレータ層の間に配置された２つの感光面を有することは、いくつかの実施形態において、２つの感光層における同じピクセルピッチレイアウトを使用することを可能にする。具体的には、いくつかの実施形態において、２つの感光層において、同じ等距離ピクセルピッチレイアウトが使用されてもよい。
【００２８】
２つの隣接する素子の２つの傾斜した（平行でない）側壁は、くさび形の隙間又は間隙を規定する。間隙は、光反射材料で部分的又は完全に充填されることができる。必ずしも全てのシンチレータ素子がそのように傾斜した隣接する側壁を有するわけではない。隣接するシンチレータ素子の傾斜した側壁を有することは、デュアルイメージングのために、特に等距離のピクセルピッチレイアウトをもつ、デュアルレイヤ検出器においてシンチレータを使用する場合に有用である。
【００２９】
更に、想定されるような隣接するシンチレータ素子の傾斜した側壁を有することは、光反射材料を通る光透過を排除するためにピクセル間の距離を減少させる又は最小化することも可能にするので、有用である。斜めの側壁を使用すると、反射体材料のボリュームが多くなる（可能性としてある程度の延性がある）。従って、相互に傾斜した又は傾いた側壁を有することは、偶発的な落下のような外力に対して、あるいは、現場で使用される例えばＣアームシステム又は可動Ｘ線システムによるイメージング中に提案のシンチレータが使用される検出器が、対象に衝突する場合に、シンチレータアセンブリのより良好なロバスト性をもたらすことができる。
【００３０】
隣接するシンチレータ素子の傾斜した側壁を有することはマルチＸ線源イメージングシステムにおいても有益でありえ、その場合、Ｘ線検出器は、それぞれ異なる領域に分割されることができ、各領域は、別のＸ線源又は複数のＸ線源の別の組み合わせからの光を検出する。
【００３１】
他の態様において、Ｘ線検出器と焦点を有するＸ線源とを有するＸ線イメージング装置が提供される。Ｘ検出器は、上述の実施形態のいずれか１つによる少なくとも１つのシンチレータ層を有し、少なくとも１つの素子は、前記焦点とアラインされた長手軸を有する。
【００３２】
他の態様において、少なくとも１つの処理ユニットによって実行される際、上述の実施形態のいずれか１つに従って材料形成デバイスにシンチレータ層の少なくとも一部を形成させるように適応されたコンピュータプログラム素子が提供される。
【００３３】
いくつかの実施形態において、コンピュータプログラム素子が３ＤプリンティングのためのＣＡＤ（「コンピュータ支援設計」）ファイルを含む。
【００３４】
他の態様において、プログラム素子上に記憶されたコンピュータ可読記憶媒体が提供される。
【００３５】
本明細書で使用される「斜め」又は「斜め性」は、イメージング装置の光軸に概ね対応する垂直方向に対する、シンチレータ層内の個々のシンチレータ素子の長手軸の傾きを示すものと理解されたい。軸は、１つの平面のみにおいて傾斜してもよく、又は少なくとも２つの平面において傾斜成分を有することもできる。
【００３６】
本明細書で頻繁に使用されるように、「３Ｄ」、「２Ｄ」、及び「１Ｄ」は、それぞれ、（空間的）３次元、２次元、又は１次元性を意味する。
【００３７】
次に、本発明の例示的な実施形態を、縮尺通りではない以下の図面を参照して説明する。
【図面の簡単な説明】
【００３８】
【図１】Ｘ線イメージング装置の概略側面図。
【図２】シンチレータ層の概略断面側面図を示す；
【図３】それぞれ異なる実施形態におけるシンチレータ素子の概略斜視図及び概略平面図。
【図４】シンチレータ層の一部を形成するシンチレータ素子の、部分的に切り欠きを含む概略斜視図。
【図５】デュアルエネルギー／スペクトルイメージングのためのデュアルレイヤ検出器におけるシンチレータ層の実施形態を概略的に示す図。
【図６】デュアルエネルギー／スペクトルイメージングのためのデュアルレイヤ検出器におけるシンチレータ層の実施形態を概略的に示す図。
【図７】シンチレータ素子を有するシンチレータ層の製造方法のフローチャート。
【図８】シンチレータ層又はその一部の付加造形のためのプロセスチェーンを示す概略ブロック図。
【発明を実施するための形態】
【００３９】
図１を参照して、側面立面図におけるＸ線イメージング装置ＩＡの概略図である。この実施形態は、Ｃアームイメージング装置、ＣＢＣＴ（コーンビームＣＴ）スキャナ、ＣＴスキャナ、マンモグラフィ装置又は放射線撮影装置、又は対象ＯＢのＸ線画像を取得するように構成された他のものを含む。対象ＯＢは、イメージング軸ｚを有する断面で示されている。図１において、イメージング軸ｚは、図面の平面内に延びている。本明細書で想定されるＸ線イメージャの主な用途は医療分野であるが、非破壊材料試験又は手荷物スクリーニングなどの非医療の状況は本明細書では除外されない。従って、「対象ＯＢ」という語は、本明細書では人間又は動物の患者、又はその解剖学的部分などの生き物の「対象」を含むものとして一般的な意味で使用されるが、無生物の対象も含む。
【００４０】
より詳細には、Ｘ線イメージング装置ＩＡは、Ｘ線源ＸＳと、Ｘ線感受性検出器ＸＤとを有する。使用時、対象ＯＢが、Ｘ線源ＸＳ及びＸ線検出器ＸＤ内の検査領域に、軸ｚに沿って位置付けられる。Ｘ線源ＸＳは、Ｘ線ビームＸＢを生成するように活性化され、Ｘ線ビームＸＢは、焦点スポットＦＳから発せられ、検査領域を横切り、従って対象ＯＢの少なくとも関心領域を横切る。図１において、ＯＸは光軸であり、Ｘ線ビームＸＢの主伝搬方向であり、軸ｙは光軸ＯＸに平行である。具体的には、光軸ＯＸが、焦点ＦＳから検出器ＸＤまで延び、焦点スポットの直交投影を検出器の画像表面上に形成するポイントで検出器ＸＤと交差する。このポイントは、本明細書では検出器又は画像表面の中心点と呼ばれる。画像表面は座標ｘ，ｚを有し、ｘは、イメージング軸ｚに直交し、ｘ，ｚは両方とも、光軸ＯＸ又は軸ｙに直交する。
【００４１】
Ｘ線は、対象ＯＢの物質（例えば、組織、骨等）と相互作用する。相互作用後、Ｘ線は、対象ＯＢの遠位側に進み、その後Ｘ線検出器ＸＤに衝突する。衝突するＸ線は、検出器ＸＤによって検出され、電気信号に変換される。電気信号は、適切な変換回路（図示せず）によって画像値に変換され、画像値は、画像プロセッサＩＰによってＸ線画像に処理されることができる。適切なイメージングソフトウェア（３Ｄ再構成など）を使用して、１つ又は複数の表示装置ＤＤ上に画像を表示することができる。画像は、記憶されるか、又は他の方法で処理されることができる。
【００４２】
Ｘ線画像は、被撮像対象ＯＢの内部の詳細を示すことができる。これは、被撮像対象ＯＢの診断及び治療又は他の検査に役立つことができる。
【００４３】
イメージング装置ＩＡは更に、イメージングされるべき関心領域とより良く適合するようにＸ線ビームを成形するために、Ｘ線源に配置されるコリメータ（図示せず）を有することができる。
【００４４】
検出器ＸＤは、フラットパネル検出器であってもよいが、本明細書では湾曲した検出器の実施形態も想定される。いくつかの実施形態において、検出器ＸＤが間接変換タイプであることが好ましい。差込図１Ａには、軸ｘ、ｚ及び画像表面の４つの外縁をもつＸ線検出器ＸＤの画像表面を表す概略的なグリッドレイアウトが平面図で示されている。軸ｚは、上記で説明したイメージング軸である。図１Ａのグリッドレイアウトにおける小さな正方形は、複数の「行」（一般に、方向ｘに沿う）及び複数の「列」（一般に、方向ｚに沿う）に配列された検出器セル又はピクセルを表す。代替的に、単一ライン／単一行の検出器もまた、本明細書において想定される。前述のように、画像表面は、図１Ａに示すように平坦であってもよく、あるいは代わりに、Ｘ線源ＸＳの焦点ＦＳを通り軸ｚに平行な長手軸（以下、「曲率軸」と呼ぶ）を有する仮想円筒の部分側面を形成するように湾曲していてもよい。これらの実施形態において、検出器ＸＤの画像表面は、全体としてＸ線源ＸＳの焦点スポットに焦点が合わされる。
【００４５】
次に、図２を参照すると、これは、Ｘ線検出器ＸＤをより詳細に示す。具体的には、図２は、Ｘ線検出器ＸＤの断面側面立面図である。図２に示す実施形態は、平坦な画像表面ｘ，ｚに対応するが、特に述べない限り、以下は湾曲したした画像表面の実施形態にも等しく適用される。
【００４６】
間接変換型技術では、検出器ＸＤが、シンチレーション層ＳＬとセンサ層ＰＬとのの２層を有する。図２に示される実施形態とは対照的に、センサ層ＰＬ１、ＰＬ２を背中合わせに有する例示的な実施形態において、（図２のよう）センサ−シンチレータ層の単一の対だけでなく、ある対が他の対の上に配置された２又はそれより多くのそのような対が存在する、特に適応された検出器ＸＤを用いてデュアルエネルギー又はスペクトルイメージングを実現することも、本明細書で想定される。このようなデュアル／スペクトルイメージング検出器は、図５及び図６において以下により詳細に説明される。しかし、簡単にするために、最初に、図２に示すような単一対のセンサ−シンチレータ層を有する検出器ＸＤについて説明することに限定する。
【００４７】
シンチレータ層ＳＬは、Ｘ線源の近位側に配置されることができ、センサ層ＰＬは、焦点の遠位側にある。代替の実施形態においては、この構成が逆にされて、センサ層ＰＬが近位側に配置され、シンチレータ層ＳＬが遠位側に配置される。ここ及び以下では、空間修飾子「近位」及び「遠位」はそれぞれ、焦点ＦＳに対してより近い距離又はより大きい距離を示すために使用される。イメージング中、Ｘ線ビームＸＢの光子は、シンチレータ層ＳＬに衝突し、シンチレータ層ＳＬを透過する。シンチレータ層ＳＬは、シンチレータ材料、言い換えれば、衝突するＸ線を異なる周波数の電磁放射線、特に可視光に変換することができる材料を含む。具体的には、シンチレータ材料の内部分子構造は、シンチレータ材料にＸ線光子が衝突したときに光子が放出されるようなものである。次いで、シンチレータ層によってそのように生成された光子は、センサ層ＰＬ内の感光性ピクセルのアレイによって検出される。いくつかの実施形態において、センサ層ＰＬは、複数の感光性ピクセル（フォトダイオードＰｈ及びＴＦＴを有する）がその上に配置される基板層ＢＬ（箔又は他のものなど）を備えるセンサアレイである。複数の感光性ピクセルＰＨは、センサ層ＰＬの少なくとも１つの感光面ＬＳＳを形成する。本明細書では、有機系もしくはシリコン系、又は両方の組み合わせせなど、フォトダイオードＰｈ及びＴＦＴの様々な変形形態及びタイプが想定される。図２の断面図では、フォトダイオードＰＨの１つの行のみが示されている（一例として、行の５つのフォトダイオードのみが示されている）。他の複数の行が、図１Ａに示されるグリッドレイアウトを達成するために、図２の図の平面上に示される行の後ろに、平行にかつｚ軸に沿って配置される。フォトダイオードＰｈは、読み出し回路（図示せず）に結合され、読み出し回路は、それぞれの光子の検出に応じてそれぞれのフォトダイオードＰｈによって生成される電気信号を収集する。
【００４８】
引き続きシンチレータ層ＳＬを参照すると、これは、一実施形態においてシンチレータ層ＳＬ上にピクセル化構造を付与する複数のシンチレータ素子ＳＥを有する。具体的には、実施形態で想定されるように、それぞれのシンチレータ素子ＳＥは、好適にはフォトダイオードＰｈと同じレイアウトで配置される個別の３Ｄ構造である。このようにシンチレータ素子は、図１Ａの平面図に示されるようにグリッドレイアウトを形成しており、シンチレータ素子とセンサＰｈとが、互いに空間的に位置合わせされており、各フォトセンサＰｈは、各シンチレータ素子の１つに対して対向する関係を有して配置されている。他の実施形態も可能であり、例えば、隣接するセンサＰｈのグループは、同じシンチレータ素子を共有することができる。例えば、２×２又は４×４の隣接するセンサ素子のグループは、同じシンチレータ素子を共有することができる。従って、単一の行／列のセンサＰｈを有する実施形態の場合、空間的に位置合わせされたそのような個別のシンチレータ素子の単一の行のみが存在する。
【００４９】
図２に示す例では、１列に５つのシンチレータ素子しかないが、この数は単に例示的なものであり、限定的なものではない。一般に、シンチレータ素子の数は、検出器ピクセルの数、従ってセンサ（例えば、フォトダイオード）の数とおなじ多さでもよいし、それより少なくてもよい。例えば、検出器ＸＤの画像表面は、Ｘ＝４０ｃｍ×Ｚ＝３０ｃｍのサイズであってもよく、これはいくつかの実施形態において実際に想定される。従って、必要とされるピクセル密度に応じて、この構成はＣＴと同様に、１ｍｍのピクセルサイズを有するＣＢＣＴスキャナの場合、ほぼ同数のシンチレータ素子を有する４００×３００のセンサＰｈを必要としうる。Ｃアームシステムの場合、より小さなピクセルサイズ、例えば１５０μｍを使用することができ、より多くの素子ＳＥをもたらす。センサ共有の場合、上述のように、センサＰｈよりもエレメントＳＥの方が少ない。検出器のサイズは一般に、イメージングされる対象のサイズによって決定され、上記の例よりも大きくても小さくてもよい。例えば、Ｚ＞４０ｃｍ及び／又はＸ＞３０ｃｍもまた、本明細書において想定される。
【００５０】
各シンチレータ素子ＳＥは、Ｘ線から可視光などの所望の電磁放射線への変換を効果的に行うシンチレータ材料を含む。本明細書で想定されるシンチレータ素子は、好適には以前のシステム（例えば、本出願人の国際公開第２０１０／０１８４９６号公報を参照）におけるように、成長した結晶ニードル全体（ＣｓＩなど）から形成されるのではなく、代わりに、いくつかの実施形態において、バインダ塊に埋め込まれたシンチレータ粒子（結晶であってもなくてもよい）を含む材料から３Ｄ製造される。シンチレータ素子の正確な組成及び製造は、図７を参照して以下により詳細に説明される。
【００５１】
最初にシンチレータ素子ＳＥの形状をより詳しく見る場合、これは、図２を参照して理解されることができる。シンチレータ素子は、それら自身がＸ線イメージングシステムＩＡの焦点ＦＳのほうを向いてアラインされるように形成される。特に、いくつかのシンチレータ素子は、少なくとも１つの平面において、Ｘ線源の焦点と位置合わせされるように斜めになっている。更に具体的には、いくつかの実施形態において、図２の断面平面において破線で示される素子ＳＥのそれぞれの長手軸ＬＡＸは、焦点ＦＳを向くように傾いている。図２から分かるように、シンチレータ素子ＳＥは、焦点ＦＳとのこのアライメントを達成するように単に回転されるだけでなく、このアライメントを達成するのは、シンチレータ素子ＳＥの形状自体の斜め性である。図２は単に、焦点ＦＳとアラインされた１つの行のシンチレータ素子ＳＥを示す。上述したことは、図２に示される行の背後に、軸ｚに沿って配置される幾つかの又は全ての行に等しく適用されることが理解されるであろう。
【００５２】
図２に示される傾斜に加えて、いくつかの実施形態において、例えば図２の図面の平面内に延びる方向ｚに沿った別の平面において、第２の傾斜成分が存在してもよい。言い換えれば、シンチレータ素子ＳＥは、長手軸ＬＡＸが３Ｄ空間において焦点ＦＳの位置を指すように、２つの空間方向、例えば、ｘ及びｚに傾斜されてもよい。この構成は、少なくとも２つの異なる平面に傾斜がある「２Ｄアライメント」と呼ぶことができる。図２において、一方の平面は、図面の平面に相当し、他方の平面は、これに直交して焦点ＦＳを通過する。
【００５３】
これとは区別して、「１Ｄアライメント」（以下、このような構成を「１Ｄアライメント」と呼ぶ）では、長手軸ＬＡＸは、シンチレータ素子の各行について単に単一平面内で傾斜しており、仮想点ＦＳ'で交差する。１つのこのような仮想点ＦＳ'は、中心点を通過する行についてのみ焦点ＦＳに対応する。他の行のそれぞれの仮想点は、焦点ＦＳを通過する線を形成し、図１、２の描画平面によるように、平面に対して垂直である。
【００５４】
２Ｄアライメントにおいて、それぞれの長手軸の延長は、光軸ＯＸに垂直な任意の方向から見たとき、３Ｄにおいて交差する。すなわち、中心点を中心とした同心円上に、同じ角度斜め性をもつシンチレータ素子ＳＥが配置される。
【００５５】
図２は非常に概略的であり、距離は縮尺通りではないことが理解されるであろう。例えば、焦点ＦＳの検出器ＸＤまでの距離は、実際よりも短く描かれている。
【００５６】
ピッチ（つまり、隣接するピクセル間の距離Ｐｈ）が等距離（規則的なピッチレイアウト）である場合と、異なる（不規則なピッチ）場合がある。図２には、不規則なピッチレイアウトが示されている。図示されるように、異なる斜め性のために、面Ｓ２同士の間（又は代替として面Ｓ１同士の間）の（ｘに沿った）距離は、好適には不規則である。他の実施形態において、いくつかの隣接するシンチレータ素子ＳＥが、同じ斜め性を有する場合、規則的であってもよい。
【００５７】
また、図２では、反射性材料ＬＲＳの充填物の（軸ｘに沿った）幅が縮尺通りに描かれていない。幅は大幅に誇張されており、通常は、シンチレータ素子ＳＥの（軸ｘに沿った）幅と比較してはるかに小さい。例えば、フィリングＬＲＳの幅は、シンチレータ素子ＳＥの幅の約１／１０以下であってもよい。
【００５８】
ここで図３を参照すると、これは、本明細書で想定されるシンチレータ素子ＳＥの形状の様々な実施形態を示す。図３のＡ及びＢは、軸ｙに沿った斜視図であり、図３のＣ及びＤは、焦点スポットＦＳから見た、軸ｙに沿った平面図である。
【００５９】
いくつかの実施形態において、いくつか又はすべてのシンチレータ素子ＳＥは、図３のＡ及びＢに示されるように、斜め円筒又は斜めプリズムである。所与のシンチレータ素子ＳＥの長手ＬＡＸは、いくつかの実施形態において、斜めプリズム又は円筒の底面である２つの面Ｓ１及びＳ２を通過する。使用中、一方の面Ｓ１は近位側であり、他方の面Ｓ２は遠位側である。面Ｓ１、Ｓ２は、任意の規則的又は不規則な多角形、又は規則的又は不規則な湾曲した形状（円形、楕円形など）を有することができる。多角形の底面Ｓ１、Ｓ２の実施形態は、三角形、長方形、正方形、又は平行四辺形を含む。更に、シンチレータ素子ＳＥは、斜め長方形プリズムとして形成されてもよい。図３のＢの具体的な実施形態に示されるように、シンチレータ素子ＳＥは平行六面体である。いくつかの実施形態において、素子がｙ−ｘ又はｙ−ｚ平面における断面として平行四辺形を有する。
【００６０】
図３では、その長手軸ＬＡＸに沿ったシンチレータ素子ＳＥの断面は一定であるように示されているが、これはすべての実施形態において必ずしもそうでる必要はない。具体的には、断面が、長手軸ＬＡＸに沿って変わる実施形態が想定される。例えば、斜め円錐台又は角錐台の形状を有する「漏斗形状」のシンチレータ素子もまた、本明細書において想定され得る。２つの面のうちの大きい方は近位側又は遠位側に配置されることができるが、好適には近位側に配置され、シンチレータ素子は、光子のための改善された集束ガイドとして作用するように近位側に配置されることができる。
【００６１】
近位フェーズＳ１は、Ｘ線をシンチレータ素子の本体に受け入れる。次に、光子は、シンチレータ素子の本体を通る経路に沿って移動し、シンチレータ素子内のシンチレーション材料と相互作用し、それにより光子が放出される。シンチレータ素子ＳＥの固有の斜め性のために、より多くの光子が放出され、これは良好なイメージング特性をもたらす。放出された光子及び／又はＸ線の少なくとも一部は、遠位面Ｓ２でシンチレータ素子を去り又は出て、それぞれのフォトダイオードＰｈと相互作用する。シンチレータ本体の斜め構成のため、シンチレータ素子を通るＸ線光子の光路は、シンチレータ層の所与の全体の厚さに対して最大化され、イメージング装置ＩＡの光軸ＯＸから離れて位置する素子ＳＥを通る放射線経路においても最大化される。より具体的には本明細書で想定されるように、シンチレータ素子の斜め性は、Ｘ線検出器の中心点からの距離と共に大きくなる。より具体的には、光軸ＯＸ又はそれに近い位置にあるシンチレータ素子が、斜め性を有さないか、又はほとんど有さず、その一方で、遠い位置にあるシンチレータ素子は、光軸ＯＸに近い位置にあるシンチレータ素子よりも大きい斜め性を有する。
【００６２】
シンチレータ素子ＳＥの提案する斜め性は、シンチレータ層の近位表面に垂直な法線ｎを使用することによって幾何学的に規定されることができる。光軸ＯＸから離れたシンチレータ素子の場合、それらのそれぞれの長手軸ＬＡＸは、表面の法線ｎに対して非ゼロの傾斜角αを形成することになる。湾曲した表面の実施形態の場合、法線は、局所的な法線であり、すなわち、所与のロケーションの近位表面に対する接平面に垂直であり、傾斜角は、前記局所的な法線ｎに対して規定されることができる。局所的な法線は、所与のロケーションにおけるそれぞれの近位表面Ｓ１の法線である。平坦な表面の実施形態において、表面法線は、面法線ｎに等しい。代替として、斜め性は、長手軸ＬＡＸと光軸ＯＸとの間の非ゼロ角度αとして規定されることもできる。傾斜角の最大の大きさは、一般に、検出器の画像表面の大きさの関数である。大きさが約Ｘ＝３０ｃｍ×Ｚ＝４０ｃｍである実施形態において、αは、検出器表面のエッジ部分に存在する素子について、０°（中心点における素子ＳＥの場合）から約１０°までの範囲である。例えば、Ｘ＞３０ｃｍ及び／又はＺ＞４０ｃｍを有する、より大きなサイズの検出器の場合、３０°又はそれ以上のαが必要になりうる。
【００６３】
図３のＣとＤの平面図は、提案されたシンチレータ層ＳＬの斜め性と、上記で説明した１Ｄ及び２Ｄアライメントの概念とを更に示している。特に、図３のＣに示されるように、それぞれの近位フェーズＳ２及び遠位フェーズＳ１は、光軸ＯＸ又は軸ｙに沿って見たとき（図３のＣの図に示されるように）、互いに対して平行なままシフトされる。図３のＣの実施形態において、面Ｓ１及び面Ｓ２は、ｚ軸に沿ってのみ互いに対してシフトされるているが、代わりにｘ軸に沿ってシフトされることができる。
【００６４】
その延長として、図３のＤの平面に示されるように、２次元においてシフトされている面Ｓ１及びＳ２も本明細書において想定される。この場合、面Ｓ１及びＳ２は、互いにｘ及びｙに沿ってシフトされている。分かりやすくするために、図３のＤ及びＣでは、面Ｓ１及びＳ２のみが示されており、他のすべてのエッジは扱われていない。図３Ｄは、上記で説明した２Ｄアライメントの概念を図示しており、図３Ｃは、傾斜が単一平面に限定される１Ｄアライメントを示している。１つ又は２つの方向における２つの面Ｓ１、Ｓ２の間の相互平行シフトは、シンチレータ素子の長手軸の配向及び全体的な傾斜、従ってその斜め性を決定する。
【００６５】
２Ｄアライメントの場合の有効な全体の傾斜は、上記で説明されたように、法線と長手軸ＬＡＸとの間の角度αによって規定されることができるが、傾斜は、２つの基準平面ｘ−ｙ及びｚ−ｙの間に延在する平面（破線として平面図に示される）内にある。基準方向ｘ、ｚに沿ったこの有効な全体傾斜の成分は、基準平面ｘ−ｙ、ｚ−ｙ及び該平面内のそれぞれの傾斜角成分への長手軸ＬＡＸのそれぞれの投影として得られることができる。
【００６６】
特に２Ｄアライメントタイプであるため、平坦なＸ線検出器であっても検出器ＸＤの画像表面全体で一様なイメージング特性を得ることができる。
【００６７】
１Ｄアライメントは、湾曲した検出器ＸＤに有用である。２Ｄアライメントは、平坦な検出器ＸＤがＸ線焦点ＦＳを向いて２次元的にフォーカスされるシンチレータ素子を達成するために有用である。
【００６８】
図４を参照すると、これは、シンチレータ素子ＳＥの斜め性を、部分断面斜視図で示している。図４には、明確にするために、１つのそのようなシンチレータ素子ＳＥのみが図示されており、それぞれの面Ｓ１及びＳ２は、シンチレータ層表面の一部であり、すなわち、近位表面がＳ１に対応し、遠位表面がＳ２に対応する。図３のＣと同様に、図４は、軸ｘに沿って、面Ｓ１、Ｓ２が一方向においてのみ互いに対して平行なままシフトされているので、斜め性が上記で説明した１Ｄアライメントをもたらす実施形態を示す。同様に、ｘ方向の代わりにｚ方向の１Ｄアライメントも、代替の実施形態において想定される。
【００６９】
個別のシンチレータ素子ＳＥは、隣接するシンチレータ素子ＳＥ、ＳＥ'の間の空間ＩＳを部分的に又は全体的に充填する光反射材料ＬＲＳに埋め込まれる。壁素子が、２つのシンチレータ素子ＳＥ、ＳＥ'のそれぞれの面Ｓ１、Ｓ２、Ｓ１'、Ｓ２'の間に延在する。それぞれの空間ＩＳは、図９に示すように、隣接するシンチレータ素子ＳＥ、ＳＥ'の隣接する壁素子ｗ、ｗ'によって境界付けられる。反射材料が互いの間に配置されるシンチレータ素子ＳＥは、シンチレータ層ＳＬを形成する。光反射材料ＬＲＳの適切な実施形態は、一実施形態において、ＴｉＯ２（二酸化チタン）充填エポキシ、又は銀、又は十分な光反射特性を有する他の同様の材料を含む。
【００７０】
それぞれの近位面Ｓ１（互いの間に反射材料を有する）は共に、シンチレーション層ＳＬの近位表面を規定する。それぞれの面Ｓ１は互いに平行であり、ｙ軸に沿ってアラインされて、同一高さの表面として近位表面を形成する。いくつかの実施形態において、等しく同一高さの遠位面を形成する遠位面Ｓ２についても同じことが当てはまり、言い換えれば、それぞれの遠位面Ｓ２は、同じ平面内又は曲面内にある。従って、（それぞれの軸ＬＡＸに沿った）シンチレータ素子ＳＥのそれぞれの長さは、すべてのシンチレータ素子ＳＥについて等しくなくてもよい。具体的には、光軸ＯＸから更に離れたシンチレータ素子ＳＥは、光軸ＯＸに近いシンチレータ素子ＳＥより長くなりうる。代替の実施形態において、シンチレータ素子のそれぞれの長さ（それぞれの軸ＬＡＸに沿った）は等しくされることができ、よって、遠位面Ｓ２は、必ずしも同じ平面／表面内に位置しない。
【００７１】
シンチレータ素子ＳＥの（それぞれの軸ＬＡＸに沿った）それぞれの長さが等しくない場合、いくつかの実施形態において、ピクセルピッチが等しくないために、上述のイメージング特性は依然として均一でありうる。これは、光軸ＯＸから更に離れた長いシンチレータ素子については、隣接する画素Ｐｈ同士の間の距離が大きくなり、それぞれの遠位面Ｓ２とそれぞれの光検出器Ｐｈとの間により多くのボリュームを有することになり、それにより、より長いシンチレータ要素ＳＥの軸ＬＡＸに沿った等しくない経路長を補償する。
【００７２】
また、製造上の理由から（図７において更に詳述）、シンチレータ素子ＳＥが基板から焦点ＦＳに向かって延びる該基板がありうる。基板は、近位面又は遠位面Ｓ１、Ｓ２のいずれかが基板に隣接するように、近位又は遠位に配置されることができる。
【００７３】
上述した全ては、複数対のセンサ−シンチレータ層を有するデュアル又はスペクトルイメージングＸ線検出器に等しく適用される。これに関連して、図５及び図６を参照する。図は、デュアルレイヤ検出器によるスペクトル／デュアルエネルギーイメージングのためのそのような検出器ＸＤの概略的な側断面図を示す。ビューは、それぞれ方向ｘ及びｚに沿っている。図５は、平坦な構成を有する実施形態の表現を示し、図６は、湾曲構成を示す。
【００７４】
より具体的には、デュアルレイヤ検出器によるスペクトル／デュアルエネルギーイメージングにおいて、（少なくとも）２つのシンチレータ層ＳＬ１、ＳＬ２、及びいくつかの実施形態においては２つのセンサ層ＰＬ１、ＰＬ２が存在する。３つ以上のシンチレータ層及び／又はセンサ層を有する構成もまた、本明細書において想定される。
【００７５】
より詳細には、図５のＢ、図６のＢでは、第１の検出器が、第１のシンチレータ層ＳＬ１を有するとともに、その下に、関連するセンサ層ＰＬ１を有する。この一対の層の後ろに、第２のセンサ層ＰＬ２及び関連する（第２の）シンチレータ層ＳＬ２を同様に有する第２の検出器の層が続く。図５、図６の構成において、２つのセンサ層ＰＬ１及びＰＬ２は、センサ層ＰＬ１、ＰＬ２が背中合わせになるように、２つのシンチレータ層ＳＬ１及びＳＬ２の間に挟まれる。あるいは、シンチレータ層ＳＬ１、２及びセンサ層ＰＬ１、２が入れ替わり、センサＰＬ１の後ろに（第２の）シンチレータ層ＳＬ２が配され、結合されるようにしてもよい。この交互配置パターンは特に、上述したシンチレータ層の平坦な近位表面のおかげで容易になる。
【００７６】
それぞれのシンチレータ素子ＳＥ１及びＳＥ２の斜め性は、挿入図５Ａに示されている。この例では、ｚ方向に沿った１Ｄアライメントが示されている。シンチレータ素子ＳＥ１、ＳＥ２のそれぞれの斜め性はα及びα＋１８０°であり、それにより、２つのシンチレータ素子の２つの長手軸ＬＡＸに沿って２つのシンチレータ素子ＳＥ１、ＳＥ２を通る連続的な放射経路を形成する。言い換えると、２つの長手軸は、共通ラインに沿ってアラインする。ここでも、両方の層におけるシンチレータ素子の斜め性は、図５に示されるように、軸Ｚに沿って単一の次元においてのみ斜めになるようにしてもよい。あるいは、素子ＳＥ１、ＳＥ２が更に第２の方向に沿って傾斜するように、焦点ＦＳとの２Ｄアライメントが存在してもよい。アライメントの第２の方向は、軸ｘに沿って図５の図面平面内に延びる。また、この２次元アライメント構成の実施形態では、２つのシンチレータ素子ＳＥ１，ＳＥ２が、共通ラインを形成するようにそれぞれの軸をアラインさせている。
【００７７】
図６Ｂは、図５Ａ、Ｂに記載されたものと同様のデュアルレイヤ検出器によるデュアル／スペクトルイメージングのための湾曲した実施形態を示す。先に述べたように、湾曲した検出器層は、その湾曲軸が焦点ＦＳを通って延び、図６Ｂの軸ｚに平行な仮想シリンダの部分的な横方向表面を形成する。挿入図６Ｃは、焦点ＦＳから見たときの、曲率を斜視平面図（３次元）で概略的に示す。
【００７８】
挿入図６Ａに更に示されるこの湾曲した実施形態において、検出器素子が好適には例えば、軸ｚに沿って（例示的に示されるように）又は軸ｘに沿って１次元でアラインされ、従って、他の次元ｘ又はｚに沿ってそれぞれ傾斜されていない。言い換えると、ｚ方向の斜め性は、その方向に沿った焦点ＦＳに対するアライメントに対処し、検出器の湾曲は、ｚに沿った湾曲軸を横切る第２の方向ｘに沿った焦点スポットに向けてのアライメントを実現する。この湾曲した実施形態において、湾曲軸に垂直なビュー（この例示的な場合では軸ｘに沿う）は、ｚに沿った斜め性が示されている図５Ａ、Ｂによって与えられるビューに類似する（図５Ａ）。挿入図６Ｂの小さな湾曲した矢印は、発散する光子を示す。
【００７９】
同様の湾曲構成は、図２のような単一の検出器層の実施形態についても想定される。
【００８０】
図９を参照すると、デュアル又はスペクトルイメージングの文脈での更なる実施形態と共に、上述したシンチレータ層の更なる形態を側断面図で示している。以下では、デュアルレイヤ検出器における２つのシンチレータ層ＳＬ１、ＳＬ２の使用について主に言及されているが、以下に記載されている特性と側面は、２つの画像（上と下）の足し合わせが従来の単一画像（改善されたＤＱＥ（検出量子効率）を有する）を与える従来の非デュアルイメージングアプリケーションにも適用可能であることが理解されるであろう。
【００８１】
本明細書で想定されるようなデュアルイメージングでは、検出器が少なくとも２つの異なるエネルギーで同時にＸ線を検出するように構成されるデュアルレイヤ検出器ＸＤとして、図９に示されるように配置される。このようにして検出された２つの画像（１つは高エネルギー画像、もう１つは低エネルギー画像）は、R Alvarez and A Macovski, "Energy-selective reconstructions in X-ray computerized tomography", Phys. Med. Biol., vol 21(5), 1976, pp 733-744などに記載されるように、例えば、物質分解のための物質固有のコントラストを持つ画像、原子番号固有のコントラストを持つ画像、スペクトル画像等の、他の画像に生成するように画像処理されることができる。
【００８２】
図９は、デュアルレイヤ検出器の他の実施形態を示す。図９の実施形態において、デュアルレイヤ検出器ＸＤは、２つのシンチレータ層ＳＬ１、ＳＬ２（上述のように）を有し、一方は近位側にあり、他方は遠位側にある。少なくとも２つの感光面ＬＳＳ１、ＬＳＳ２（ここでも、一方は近位側にあり、他方は遠位側にある）は、それぞれ、上述したような感光ピクセルＰＨのレイアウトを有する。いくつかの実施形態（必ずしもすべての実施形態においてないが）では、２つのシンチレータ層内のシンチレータ素子の数が等しく、好適には図９に示すように、近位側シンチレータ層ＳＬ１及び遠位側シンチレータ層ＳＬ２からの対応するシンチレータ素子は、それらの長手軸がアラインされる。
【００８３】
感光表面ＬＳＳ１、ＬＳＳ２は、単一の（基板）層ＢＬ上に配置されることができ、ピクセルは、遠位側及び近位側から受容可能であり、従って、図９のＢに示すように、基板層ＢＬの遠位側に２つの感光表面ＬＳＳ、ＬＳＳ'を有し、他方は近位側にある。基板は光の通過を可能にするために、箔又は他のものとして配置されることができる。同様のこのような「両面」単一センサ層ＰＬは、本出願人の国際公開第２０１８／１２２２１３Ａ１号パンフレットに記載されている。代替例として、２つの感光面が、単一の基板層上の遠位側及び近位側にそれぞれ配置される２つのセンサ層によって形成されてもよい。更なる代替例として、２つの感光面ＬＳＳ１、ＬＳＳ２は、図９のＡ、Ｄ、図５、図６に示されるように、互いに一緒にされた、すなわち「背中合わせ」に積層された、物理的に別々の層ＢＬ１、ＢＬ２上に配置され、この場合、感光面ＬＳＳ１、ＬＳＳ２は、反対方向を向いている。更に別の実施形態において、２つのセンサ層ＳＬ１、ＳＬ２は、図９のＣのように、２つのシンチレータ層のうちの少なくとも１つの介在によって空間的に分離される。
【００８４】
本明細書で想定されるデュアルレイヤ検出器では、感光面ＬＳＳ１、ＬＳＳ２は両方とも、２つのシンチレータ層ＳＬ１、ＳＬ２の間に配置される。図９のＣの２つの感光層は、Ｘ線源を向いて同じ向きに方向付けられる。
【００８５】
２つのシンチレータ層ＳＬ１、ＳＬ２は、感光面ＬＳＳ１、ＬＳＳ２のそれぞれの上に接着によって配置されるか、又は他の方法で貼り付けられる。図９のＣの実施形態において、遠位シンチレータ層ＳＬ２の近位面は更に近位センサ層ＳＬ１に固定される。
【００８６】
図９によって与えられるビューは更に、シンチレータ素子ＳＥ１、ＳＥ１'、ＳＥ２、ＳＥ２'の間の空間ＩＳ、ＩＳ'を規定する隣接する側壁ｗ１、ｗ１'及びｗ２、ｗ２'を示す。図９及び以下では、シンチレータ層ＳＬ２の１つ及び１対の隣接するシンチレータ素子ＳＥ２、ＳＥ２'について言及されるが、これは単に例示及び説明のためであり、以下のすべては、他のシンチレータ層ＳＬ１及び／又は他のシンチレータ素子ＳＥ１、ＳＥ１'に等しく適用される。２つの隣接するシンチレータ素子ＳＥ２、ＳＥ２'の隣接する側壁ｗ２、ｗ２'はそれらのそれぞれの面Ｓ１、Ｓ２とＳ１'、Ｓ２'との間に延在する（図９には示されていないが、図２を参照）。隣接するシンチレータ素子ＳＥ２、ＳＥ２'の互いに傾斜した（平行でない）隣接する側壁ｗ２、ｗ２'のため、それぞれの間隙ＩＳは、テーパ状である。特に、隙間ＩＳは、図９に示すように楔形であってもよい。前述したように、隙間ＩＳは、図２に関して上述したように、全体的又は部分的に光反射充填材料ＬＲＳで充填される。フォーカスされる構成のため、２つのシンチレータ層ＳＬ１、ＳＬ２の対応する近位及び遠位シンチレータ素子ＳＥ１、ＳＥ２のそれぞれの長手軸は、近位シンチレータ層ＳＬ１の隙間ＩＳ'が遠位シンチレータ層ＳＬ２の隙間ＩＳよりも狭く及び／又は小さくなるようにアラインされる。特に、近位シンチレータ層ＳＬ１の空間ＩＳは、遠位シンチレータ層ＳＬ２の空間ＩＳ'よりも小さい楔型として形成される。図９に示すように、いくつかの実施形態において、近位シンチレータ層ＳＬ１及び遠位シンチレータ層ＳＬ２のシンチレータ素子からのそれぞれの側壁ｗ１、ｗ２及びｗ１'、ｗ２'がアラインされる。
【００８７】
等距離ピクセルピッチレイアウトは、感光面ＬＳＳ２、ＬＳＳ１、特に図９のＡ、Ｂ及びＤの実施形態において使用されることができる。ピクセルピッチは、各表面ＬＳＳ、ＬＳＳ'についてそれぞれ等距離であってもよいが、互いに異なっていてもよい。代替例として、等距離ピッチレイアウトが、２つのシンチレータ層ＳＬ１、ＳＬ２について同じである。等距離ピッチを有することは、画像処理を単純化することを可能にし、及び／又は特に、いくつかの実施形態において本明細書で想定されるような２つの同一の画像センサを使用する場合に、検出器をより効果的に製造することができる。更に、等距離イメージセンサは、使用においてより汎用的であり、システム内の線源−検出器距離とは無関係であり、従って、さまざまなシステム構成又は用途において使用されることができる。
【００８８】
ここでは任意の２つの隣接するシンチレータ素子ＳＥ'、ＳＥが傾斜した隣接する壁を有する必要はないが、これはいくつかの実施形態では想定される。代替例として、シンチレータ層は、平行な隣接する壁を有するシンチレータ素子のランを有し、続いて、異なる傾斜の壁を有するシンチレータ素子の１又は複数のランを有する。２つの連続するランからのシンチレータ素子の隣接する壁は、上述したように、それらの隣接する壁を相対的に傾斜させてもよい。
【００８９】
なお、図９（ｄ）に示すように、シンチレータ層ＳＬ１、ＳＬ２の一方又は両方におけるシンチレータ素子ＳＥ、ＳＥ'の高さｈは、必ずしも等しくなくてもよく、高さ差Δによって示されるように異なっていてもよい。好適には、高さは、検出器ＸＤの周囲に向かって中心から離れて位置するシンチレータ素子ＳＥと比較して、より中央のシンチレータ素子ＳＥのほうが低い。これは、取得画像の全領域にわたって（より均質な）ノイズ分布を得ることを可能にする。図９（ｄ）に示すように、中心から周辺に向かって高さを単調に増加させる必要はない。代わりに、同じ高さを有する１つ又は複数のシンチレータ素子ＳＥのランが存在し、その後に、それぞれ異なる、増加する高さを有するシンチレータ素子ＳＥの１つ又は複数のランが続くことができる。図９のＡ）〜Ｃ）又は図２、図５及び図６の実施形態のいずれにおいても、異なる高さのシンチレータ素子が使用されることができる。１Ｄ又は２Ｄアライメントは、図５、図６に関して上述したように、図９の実施形態のいずれかにおいて想定される。
【００９０】
図７を参照すると、先の図に関して上述したように、斜めの離散的なシンチレータ素子を有するシンチレータ装置の製造プロセスにおけるステップが示されている。
【００９１】
好適には、シンチレータ層ＳＬが適切な材料から３Ｄプリンティングなどの付加造形によって形成される。適切な材料は、非シンチレーションバインダ材料の塊体に埋め込まれる結晶粒子を有する。
【００９２】
より従来のアプローチとは異なり、成長した結晶ニードル（ＣｓＩ、ヨウ化セシウムなど）は本明細書では使用されないが、代わりに、シンチレータ層を形成するためＰＩＢ（particle-in-binder）法によるシンチレータ調製が想定される。ＰＩＢ法によるシンチレータ材料の実施形態は、テルビウムドープされたオキシ硫化ガドリニウム（Ｇｄ２Ｏ２Ｓ：Ｔｂ）粒子、又はプラセオジミウムドープされたオキシ硫化ガドリニウム（Ｇｄ２Ｏ２Ｓ：Ｐｒ）粒子、又はＹ２Ｏ２Ｓなどの他のシンチレーション材料、又はガーネット粒子などを含む。シンチレーション材料は、樹脂などのバインダ材料、又はスラリを形成することができる他の材料中に混合される。
【００９３】
好適には、シンチレータ素子が製造されるＰＩＢシンチレータ材料が、シンチレータ層の想定される全厚さより薄い複数のサブレイヤにそれ自体提供される。次いで、シンチレータ素子は以下の方法で、一実施形態によれば、これらのサブレイヤから徐々に構築される。
【００９４】
ステップＳ７１０において、上述のサブレイヤのうちの第１のサブレイヤが提供される。これは基板（例えば、ガラス又は他のもの）上に堆積されてもよいが、これは任意選択であり、下にある基礎基板が使用されない本明細書で想定される方法である。一実施形態においてシンチレータ層が検出器層ＰＬ自体上に構築され、その場合、検出器層ＰＬは基板を形成する。基板は、図６の実施形態のように、比較的堅い湾曲したセンサプレートによって形成されてもよい。提案した方法は、従って、箔型の基板上への堆積を回避することを可能にする。このような箔ベースの基板は、前述の結晶ニードルから、湾曲した検出器用のシンチレータを構築するのを助けるために以前に使用されていた。
【００９５】
ＣｓＩシンチレータは、新たに提案するシンチレータ層ＳＬによって完全に置き換えることができるが、代替の実施形態において、ＣｓＩは、新たに提案するシンチレータ層ＳＬと組み合わせて使用されることもできる。例えば、図６のデュアルエネルギー／スペクトルイメージングの実施形態において、シンチレータ構成は、シンチレータ層ＳＬ１の代わりに最上層がＣｓＩであってもよく、一方、ＳＬ２は本明細書で提案するようなものであり、又は逆に、ＣｓＩが代わりに下層ＳＬ２として使用され、最上層ＳＬ１は本明細書で提案するものであってもよい。
【００９６】
上記の実施形態の全てにおいて、各センサ層ＰＬは単一のシンチレータ層ＳＬのみを有するが、これは必ずしも全ての実施形態についてそうとは限らない。本明細書で具体的に想定される構成も、所与のセンサ層に対して少なくとも２つのシンチレータ層が存在するアレイである。より具体的には、いくつかの実施形態において、２つのシンチレータ層がそれぞれのセンサ層ＰＬの対向する２つの面に配置される。この実施形態において、センサ層ＰＬは、前記対向する２つの面からのシンチレータ光によって照明されることができる。この両面構成が、図５、図６のデュアルエネルギー／スペクトルイメージングの実施形態で使用される場合、２つの層ＰＬ１、ＰＬ２は、もはや背中合わせにならないことが理解されるであろう。代わりに、（４つの）シンチレータ層のうちの２つが背中合わせになる。
【００９７】
ステップＳ７２０において、シンチレータは、好適には選択的レーザ焼結（ＳＬＳ）又はステレオリソグラフィ（ＳＬＡ）のような３Ｄプリンティングのような適切な付加造形技術を使用することによって形成される。
【００９８】
シンチレータ素子のそれぞれの長手軸に沿った長さが等しくなるように形成されることができ、又は長さは、層の中心からの距離とともに変化してもよく、中心／光軸から離れるほど、シンチレータ素子はより長くなる。
【００９９】
レーザベースの技術が想定される。いくつかの実施形態において、第１のサブレイヤは、第１のサブレイヤ上の複数の個別の位置でレーザビームに曝露される。各ロケーションにおいて、サブレイヤは、局所的に融合され又は硬化されて（感光性バインダの場合）、構築されるべき所与のシンチレータ素子のサブレイヤの断面を規定する。このプロセスは、所望のシンチレータ素子アレイのレイアウトを規定するように、適切に離間されたロケーションに局所的に、サブレイヤの表面を横切って連続して又は平行に繰り返される。融合プロセスでは、ＰＩＢシンチレータ材料の分子構造は（非融合部分と比較して）変化するが、粒子のシンチレーション能力は維持される。
【０１００】
次に、ステップＳ７２０が、第１のサブレイヤの上に第２のサブレイヤを堆積させた後に、第２のサブレイヤ上で繰り返される。具体的には、第１のサブレイヤ上に堆積された第２のサブレイヤと、レーザによる上述の局所的融着／硬化とが、繰り返されるが、このとき、前のサブレイヤ内のロケーションと比較してわずかにシフトした位置である。シフトの量は、そのロケーションにおける所与のシンチレータ素子の所望の斜め性に対応する。シフト量は、記述された斜め性と現在のサブレイヤの与えられた高さに三角形的に関係している。シフトは、レーザ分配装置を動かすことによって、又はサブレイヤを動かすことによって達成されることができる。
【０１０１】
次に、ステップＳ７２０は、すべてのサブレイヤが上述のように処理されるまで繰り返され、その都度、前述のサブレイヤと比較して、ロケーション（材料が融合／硬化される場補）がわずかにシフトされる。
【０１０２】
製造のこの段階では、「予定」素子ＳＥは、周囲のサブレイヤ材料に埋め込まれている。全てのシンチレータ素子の全ての断面が全てのサブレイヤにわたってレーザ定義されると、この多層アセンブリ（サブレイヤから構成される）は、最終的なシンチレータ層ＳＬの所望の高さを有する。
【０１０３】
次いで、多層アセンブリは、残りの過剰な材料を除去する。これは、局所的に融合された部分の間に残された非融合部分にのみ作用するエッチング物質（例えば、エッチング浴中）を適用して、残りの余分な材料を溶解するようにし、残りの余分な材料はその後洗い流さて、斜めのシンチレータ素子のみが露出したままになるようにし、離散した近位面がエンボス加工されることによって、行われることができる。シフトのため、シンチレータ素子の面Ｓ１、Ｓ２の間の接続エッジは、ある倍率スケールで、階段状のプロファイルを有することになることが理解されるであろう。
【０１０４】
別のステップＳ７３０では、光反射充填材料ＬＲＳがシンチレータ素子間の空間内に充填される。光反射材料ＬＲＳはペーストとして提供されてもよく、その後、ペーストは空間内に入り込み、シンチレータ素子の近位面Ｓ１と同じ高さにされることができる。いくつかの実施形態において、これは光反射材料ＬＲＳを、場合によっては真空下で、間隙に充填／注入することによって行われる。
【０１０５】
次いで、全体の構造を凝固させて、シンチレータ素子が一緒にイメージング装置ＩＡの焦点とアラインされるように、斜め性の所望の分布及び分散を有するシンチレータレイアウトの生産を終了することができる。言及したように、中央のシンチレータ素子（つまり、光軸に沿って配置されたもの）は、まっすぐなままでよい。
【０１０６】
中心からずれたシンチレータ素子の斜め性はすべて、理想的には、焦点ＦＳとの最良のアライメントを達成するために、光軸ＯＸからの距離と共に変化すべきである。すなわち、任意の２つの隣接するシンチレータ素子ＳＥは、理想的には異なる斜め性を有するべきである。しかしながら、これは、必ずしも全ての実施形態においてそうとは限らない。例えば、隣接するシンチレータ素子の特定の「並び（ｒｕｎｓ）」又はグループは、同じ斜め性を有するように配置されることができる。これは、上述した製造工程を簡略化することができる。すなわち、３Ｄ製造装置の制御プログラムが簡略化されて、スループットを向上させることができる。具体的にはサブレイヤにわたるその反復を伴う形成ステップＳ８２０は、個々のシンチレータ素子を個別に特注の斜め性で製造するのではなく、同じ斜め性を有するシンチレータ素子のグループを形成するためにバッチで実行されることができるが、これもまた、代替的な実施形態が想定される。
【０１０７】
本明細書で想定される他の付加造形の３Ｄプリンティング技術は、融合堆積モデリング、マルチジェットモデリング、インクジェット３Ｄプリンティング、又は他のものを含む。任意に、３Ｄプリンティング後、光反射材料ＬＲＳを適用する前に、構造全体が焼結炉において焼結されることによってセラミック化されてもよい。
【０１０８】
３Ｄプリンティングの代替として、ＣＮＣ加工も想定される。以上から理解されるように、処理の完了時、シンチレータ素子ＳＥは、３Ｄプリンティングされた個別のシンチレータ構造として現れる。特に平面検出器の実施形態（図２、図５、図９）では、シンチレータ素子の固有の斜め性のために、シンチレータの近位及び／又は遠位表面による同じ高さの表面が達成されることも理解されるのであろう。同じ高さの表面は、遠位面及び近位面によってそれぞれ形成される。同じ高さの表面は特に、図５、図６、及び図７に示すように、２つ以上の検出器層が互いに重なって１つずつ積層される場合、一体的な機械的安定性を促進する。好適には、複数の近位表面が、同一平面内に位置し、同じ高さの平面を形成する。これは、遠位表面に当てはまるかもしれないし、当てはまらないかもしれない。特に、シンチレータ素子の（それぞれの長手軸ＬＡＸに沿った）長さが、層／光軸ＯＸの中心から異なる距離にあるシンチレータ素子について等しい場合、遠位表面は必ずしも同じ表面に位置しなくてもよい。好適には、近位面及び遠位面の両方が、それぞれの同じ高さの平面を形成し、シンチレータ素子の長さが異なり、中心／光軸ＯＸからさ離れるほど、シンチレータ素子ＳＥはより長くなる。
【０１０９】
シンチレータ層の全体の厚さは、シンチレータ素子の高さ（軸ｙに沿って垂直に測定される）に等しく、１００〜１０００マイクロメートル（μｍ）の範囲、より具体的には１００〜６００μｍの範囲とすることができるが、他の厚さも想定される。
【０１１０】
図７は、新たに提案するシンチレータ層ＳＬの複数のシンチレータ素子ＳＥを３Ｄプリンティングで製造する場合の概略的な作業フロー図を示す。
【０１１１】
シンチレータ素子ＳＥの所望の幾何学的形状に関する情報は、適切なＣＡＤ言語によって、使用される正確な３Ｄプリンティング技術に応じて、ＳＴＬ（「ステレオリソグラフィ」）、ＯＢＪ、ＰＬＹ、又は他のものなどの適切なフォーマットで記述される。この情報は、コンピュータファイルＦＬに保持される。一実施形態において、これはＣＡＤファイルである。いくつかの実施形態において、幾何学的形状ファイルＦＬ内のシンチレータ層ＳＬの所望のジオメトリが、ファイルＦＬ内に記憶された表面のコレクションに関して記述される。各表面は、頂点及びその法線を通る向きによって定義される。次いで、シンチレータ層ＳＬ／シンチレータ素子ＳＥは、正しい向きのこれらの表面素子のコレクションから構築されることができる表面モデルとして定義される。
【０１１２】
ファイルＦＬを記述するジオメトリは、コンピューティングユニットの永久メモリや、メモリスティック、ＣＤメモリカードなどの移動可能なメモリ媒体などの適切なメモリＭＥＭに記憶されることができる。
【０１１３】
ラップトップ、デスクトップ・コンピュータ、タブレット、１つ又は複数のサーバ（クラウドアーキテクチャ有り又は無し）、又は他の適切な計算ユニットなどのデータ処理ユニットＰＵが、ジオメトリファイルＦＬからジオメトリ情報を読み取り、これを適切なインターフェースを介して３ＤプリンタＭＦＤの動作を制御するのに適した関連コマンド及びスライスに変換する３Ｄスライサソフトウェアを実行する。具体的には、３Ｄスライサがジオメトリ情報を、Ｇコード及びＣプログラム言語などの上述の制御プログラム又はコードに変換する。
【０１１４】
３Ｄプリンティングは、特に必要な角度傾斜で所望の斜め性と方向を形成することを可能にする。
【０１１５】
同様の作業フローは、例えば、材料形成装置ＭＦＤがＣＮＣミリング装置である場合に適用される。
【０１１６】
本発明の別の例示的な実施形態において、適切なシステム上で、前述の実施形態のうちの１つによる方法の方法ステップを実行するように適応されるコンピュータプログラム又はコンピュータプログラム素子が提供される。
【０１１７】
従って、コンピュータプログラム素子は、本発明の実施形態の一部でありうるコンピュータユニットに記憶されることができる。この計算ユニットは、上述の方法のステップの実行を実現し又は誘導するように適応されることができる。更に、計算ユニットは、上記装置の各コンポーネントを動作させるように適応されることもできる。計算ユニットは、自動的に動作するように、及び／又はユーザの注文を実行するように適応されることができる。コンピュータプログラムは、データプロセッサの動作メモリにロードされることができる。従って、データプロセッサは、本発明の方法を実行するように装備されることができる。
【０１１８】
本発明のこの例示的な実施形態は、最初から本発明を使用するコンピュータプログラムと、最新の手段によって既存のプログラムを本発明を使用するプログラムに変えるコンピュータプログラムとの両方を包含する。
【０１１９】
更に、コンピュータプログラム素子は、上述の方法の例示的な実施形態のプロシージャを満たすために必要なすべてのステップを提供することができる。
【０１２０】
本発明の更なる例示的な実施形態によれば、ＣＤ−ＲＯＭなどのコンピュータ可読媒体が提示され、コンピュータ可読媒体はその上に記憶されたコンピュータプログラム素子を有し、そのコンピュータプログラム素子は、前述のセクションによって説明された構成を有する。
【０１２１】
コンピュータプログラムは、他のハードウェアと一緒に又はその一部として供給される光記憶媒体又はソリッドステート媒体などの適切な媒体（特に非一時的媒体であるが、必ずしも非一時的媒体である必要はない）上に記憶され及び／又は配布されることができるが、他の形態で、例えばインターネット又は他の有線もしくは無線電気通信システムなどを介して配布されることもできる。
【０１２２】
しかしながら、コンピュータプログラムは、ワールドワイドウェブのようなネットワーク上で提示されることもでき、そのようなネットワークからデータプロセッサの作業メモリにダウンロードされることもできる。本発明の更なる例示的な実施形態によれば、コンピュータプログラム素子をダウンロードに利用可能にするための媒体が提供され、このコンピュータプログラム素子は、本発明の前述の実施形態のうちの１つによる方法を実行するように構成される。本発明の実施形態は、それぞれ異なる主題を参照して説明されていることに留意されたい。特に、いくつかの実施形態は方法タイプの請求項に関して説明され、他の実施形態は装置タイプの請求項に関して説明される。しかしながら、当業者は上記及び以下の説明から、別段の言及がない限り、１つのタイプの主題に属する複数の特徴の任意の組み合わせに加えて、それぞれ異なる主題に関する特徴間の任意の組み合わせも、本出願で開示されると考えられることを理解するであろう。しかしながら、全ての特徴が組み合わせられて、特徴の単純な合計よりも多くの相乗効果を提供することができる。
【０１２３】
本発明は、図面及び前述の説明において詳細に図示され及び説明されてきたが、そのような図示及び説明は、説明的又は例示的であり、限定的ではないと考えられるべきである。本発明は、開示された実施形態に限定されない。開示された実施形態に対する他の変形は、図面、開示、及び従属請求項の検討から、請求項に記載の発明を実施する際に当業者によって理解され、達成されることができる。
【０１２４】
請求項において、「有する、含む（comprising）」の語は他の構成要素又はステップを除外するものではなく、不定冠詞「a」又は「an」は、複数性を除外するものではない。単一のプロセッサ又は他のユニットは、特許請求の範囲において言及されるいくつかのアイテムの機能を果たすことができる。特定の手段が相互に異なる従属請求項において言及されているという単なる事実は、これらの手段の組み合わせが有利に使用されることができないことを示すものではない。請求項におけるいかなる参照符号も、請求項の範囲を限定するものとして解釈されるべきではない。
【図１】
2021521444.tif 000003
【図１Ａ】
2021521444.tif 000004
【図２】
2021521444.tif 000005
【図３Ａ）】
2021521444.tif 000006
【図３Ｂ）】
2021521444.tif 000007
【図３Ｃ）】
2021521444.tif 000008
【図３Ｄ）】
2021521444.tif 000009
【図４】
2021521444.tif 000010
【図５】
2021521444.tif 000011
【図６】
2021521444.tif 000012
【図７】
2021521444.tif 000013
【図８】
2021521444.tif 000014
【国際調査報告】
2021521444.tif 000015
2021521444.tif 000016
2021521444.tif 000017